(57)【要約】【課題】光コネクタの挿入時のフェルールとファイバスタブとの衝突によって生じる衝撃波を緩和させ、実装部品に対するダメージの発生を低減させた光モジュールを提供する。【解決手段】光素子が搭載されたパッケージ本体部と光コネクタのフェルール４１が挿入されるスリーブ部３を備えた光モジュールで、スリーブ部３内に光素子とフェルール４１とを光学的に結合するファイバスタブを、スリーブ部３内で軸方向に摺動可能に配置した第１ファイバスタブ２１とスリーブ部３に対して軸方向に固定配置した第２ファイバスタブ２２から構成し、第１ファイバスタブ２１と第２ファイバスタブ２２とを緩衝部材２４によって軸方向に結合している。光コネクタ４０の挿入による衝撃は、第１ファイバスタブ２１の後退と緩衝部材２４の変形によって緩和される。緩衝部材２４は、例えば中空円筒状で、ブチルゴムなどから形成される。【選択図】図１
2010217706.tif 000002
【特許請求の範囲】
【請求項１】
光素子が搭載されたパッケージ本体部と光コネクタのフェルールが挿入されるスリーブ部を備えた光モジュールであって、
前記スリーブ部内で前記光素子と前記フェルールとを光学的に結合するファイバスタブを有し、該ファイバスタブは、前記スリーブ部内で軸方向に摺動可能に配置された第１ファイバスタブと前記スリーブ部に対して軸方向に固定配置された第２ファイバスタブからなり、前記第１ファイバスタブと第２ファイバスタブとが緩衝部材を介して軸方向に結合されていることを特徴とする光モジュール。
【請求項２】
前記緩衝部材は中空円筒状であることを特徴とする請求項１に記載の光モジュール。
【請求項３】
前記第１ファイバスタブと第２ファイバスタブとの軸方向の最小間隔を規定するストッパ部材を備えることを特徴とする請求項１または２に記載の光モジュール。
【請求項４】
前記ストッパ部材が前記第２ファイバスタブに設けた突出部から構成されることを特徴とする請求項３に記載の光モジュール。
【請求項５】
前記第１のファイバスタブと第２のファイバスタブとが共通の光ファイバ素子を保持していることを特徴とする請求項１〜４のいずれか１に記載の光モジュール。
【請求項６】
前記共通の光ファイバ素子が前記第２ファイバスタブの貫通孔に沿って摺動可能に保持されていることを特徴とする請求項５に記載の光モジュール。
【請求項７】
前記第１のファイバスタブと第２のファイバスタブがそれぞれ個別に光ファイバ素子を有することを特徴とする請求項４に記載の光モジュール。
【発明の詳細な説明】
【技術分野】
【０００１】
本発明は、発光素子等の光素子が搭載されたパッケージ本体部と光コネクタのフェルールが挿入されたスリーブ部を備えた光モジュールに関する。
【背景技術】
【０００２】
光通信に用いられる光モジュールとしては、信号光を送信する光送信モジュール、信号光を受信する光受信モジュール、または、信号光の送信と受信の両方の機能を持つ光送受信モジュールがある。これらの光モジュールは、小型のプラガブル光トランシーバ等に搭載されて、高速（例えば、１０Ｇｂｐｓ）の光通信に用いられている。
【０００３】
図６（Ａ）は、例えば、特許文献１に開示されている光モジュール（光送信モジュール）の一例を示した図で、図６（Ｂ）はその内部構造の概略を示した図である。光送信モジュール１は、レーザダイオード等の発光素子が搭載されたパッケージ本体部２と、光伝送路となる光ファイバケーブルの光コネクタと光結合を形成するためのスリーブ部３とから成っている。パッケージ本体部２は、箱型の筐体４内に、光送信器を構成するレーザダイオード（ＬＤ）５、モニタ用のフォトダイオード（ＰＤ）６がキャリア部材７、８により実装されている。
【０００４】
発熱源となるＬＤ５が実装されるキャリア部材７は、電子冷却器９を介して搭載され、冷却制御のための測温素子１０が実装されている。この他、キャリア部材７上には、ＬＤ５を高周波で駆動する回路素子１１等が実装され、また、ＬＤ５からの信号光をコリメート光としてスリーブ部３に出射させるコリメートレンズ１２が搭載されている。筐体４の外側面あるいは外端面には、外部回路の信号源や電源に接続するためのリードピン１３が設けられている。
【０００５】
スリーブ部３は、例えば、集光レンズ１４、アイソレータ１５を収納保持する結合部材１６と、光コネクタのフェルールが挿入されるスリーブ部材１７とで形成されている。スリーブ部材１７には、フェルールが嵌入されるスリーブ１８と光ファイバ素子２０が埋設されたファイバスタブ１９が挿着されている。ファイバスタブ１９の光ファイバ素子２０の内端には、ＬＤ５からの信号光が集光されて入射され、外端は光コネクタフェルールの光ファイバ端と光学的に接続される。
【先行技術文献】
【特許文献】
【０００６】
【特許文献１】特開２００５−２９４８０８号公報
【発明の概要】
【発明が解決しようとする課題】
【０００７】
図７に示すように、光コネクタ４０のフェルール４１は、コネクタ筐体４２内にバネ４３により軸方向に可動で弾性的に保持されている。フェルール４１が光モジュールのスリーブ部材１７内に挿入されたとき、フェルール４１の光ファイバ４４がファイバスタブ１９の端面に当接して光ファイバ素子２０と物理的に接触するフィジカルコンタクト（ＰＣ）が成立するように構成されている。
【０００８】
しかし、何らかの理由、例えばフェルール４１とスリーブ部材１７の軸ずれや挿入角度の変化等で、挿入に引っ掛かりが生じることがある。引っ掛かりが生じるとフェルール４１の挿入に対する抑止力が働きスムーズな挿入が抑えられる。このため、光コネクタ４０内でフェルール４１を支えるバネ４３が圧縮されて、フェルール４１には挿入のための押込み力が増加される。
【０００９】
そして、フェルール４１の押込み力が抑止力より大きくなり、フェルールの挿入に対する引っ掛かりが解放されると、バネ４３で付勢状態にあるフェルール４１は勢い良く軸方向に飛び出し、ファイバスタブ１９に衝突する。フェルール４１とファイバスタブ１９は、通常、ジルコニア等の硬いセラミック材で形成されているため、このフェルール４１がファイバスタブ１９に衝突すると、高加速度、高周波振動からなる衝撃波が発生する。この衝撃波は、２０ｋＨｚ〜６０ｋＨｚの超音波周波数の成分をもつパルス波となる。
【００１０】
図６で示したような、高出力の光モジュールでは、光パワーを効率よく集光するために２レンズ系の光学系が必要不可欠とされる。この光学系を構成するためには、同軸円筒構造のレンズ保持構造と光コネクタ用のスリーブ保持構造を必要とする。この構造に由来する構造体の固有振動数は、上記のパルス波の周波数成分とほぼ一致する場合があることが解明されている。
【００１１】
このため、上記のような衝撃波の発生は、スリーブ部を伝搬してパッケージ本体部の筐体等を励振させ、内部の実装部品にダメージを与える恐れがある。例えば、フェルール４１内に保持された光ファイバ４４の端面、ファイバスタブ１９に保持された光ファイバ素子２０の端面、パッケージ本体部２内に内蔵するＬＤ５やＰＤ６の光素子、これら光素子のための電子・電気部品等が破損したり脱落したりする場合がある。
【００１２】
このような、フェルール４１の引っ掛かりをなくすために、スリーブ部材１７の挿入口およびフェルール４１の先端部分をテーパで形成して、挿入を滑らかにする方法があるが、引っ掛かりを完全になくすことはできない。また、実装部品の実装強度を高める方法もあるが限度がある。
【００１３】
本発明は、上述した実情に鑑みてなされたもので、光コネクタの挿入時のフェルールとファイバスタブとの衝突によって生じる衝撃を緩和させ、実装部品に対するダメージの発生を低減させた光モジュールの提供を目的とする。
【課題を解決するための手段】
【００１４】
本発明の光モジュールは、光素子が搭載されたパッケージ本体部と光コネクタのフェルールが挿入されるスリーブ部を備えた光モジュールで、スリーブ部内で光素子とフェルールとを光学的に結合するファイバスタブを有し、ファイバスタブは、スリーブ部内で軸方向に摺動可能に配置された第１ファイバスタブとスリーブ部に対して軸方向に固定配置された第２ファイバスタブからなり、第１ファイバスタブと第２ファイバスタブとが緩衝部材を介して軸方向に結合されていることを特徴とする。
【００１５】
この緩衝部材は中空円筒状であってよい。また、第１ファイバスタブと第２ファイバスタブとが共通の光ファイバ素子を保持しており、光ファイバ素子が第２ファイバスタブの貫通孔に沿って摺動可能に保持されていてもよい。さらに、光モジュールは緩衝部材の軸方向の変形を規制するストッパ部材を備えており、このストッパ部材が第２ファイバスタブに設けた突出部から構成されていてもよい。
【発明の効果】
【００１６】
本発明の光モジュールによれば、光コネクタの挿入により、フェルールが第１ファイバスタブに衝突するが、第１ファイバスタブが軸方向に摺動し、第１ファイバスタブと第２ファイバスタブとの間に設けた緩衝部材を変形させるため、フェルールとファイバスタブの衝突による衝撃が緩和され、実装部品に対するダメージの発生を緩和することができる。また、第１ファイバスタブの軸方向の移動はストッパ部材によって規定されるため、第１ファイバスタブと第２ファイバスタブとに共通に保持させた光ファイバ素子が断線することがない。
【図面の簡単な説明】
【００１７】
【図１】本発明による光モジュールのスリーブ部の一例を示す図である。
【図２】図１の光モジュールにおいて、フェルールとファイバスタブとの結合時の緩衝部材の作用について説明するための図である。
【図３】本発明における緩衝部材の一例を示す図である。
【図４】本発明による光モジュールの他の例において、フェルールとファイバスタブとの結合時の緩衝部材の作用について説明するための図である。
【図５】本発明による光モジュールのさらに他の例において、フェルールとファイバスタブとの結合時の緩衝部材の作用について説明するための図である。
【図６】従来の光モジュールの構成例を示す図である。
【図７】従来の光モジュールの解決すべき課題を説明するための図である。
【発明を実施するための形態】
【００１８】
以下、図面を参照して、本発明の実施の形態を説明する。
本発明に係る光モジュールは、基本的な構造は図６で示したものと同様で、例えば、レーザダイオード等の発光素子が搭載されたパッケージ本体部２と、光伝送路となる光ファイバケーブルの光コネクタと光結合を形成するためのスリーブ部とから成っている。パッケージ本体部は、箱型の筐体内に、光送信器を構成するレーザダイオード（ＬＤ）、モニタ用のフォトダイオード（ＰＤ）等がキャリア部材により実装される。
【００１９】
（実施態様１）
図１は本発明の一実施態様に係る光モジュールのスリーブ部を示す図である。スリーブ部３は、結合部材１６と、光コネクタ４０のフェルール４１が挿入されるスリーブ部材１７とで形成される。
スリーブ部材１７は、スリーブ１８、第１ファイバスタブ２１、第２ファイバスタブ２２、スリーブシェル２３、緩衝部材２４、光ファイバ素子２５、ストッパ部材２７を備えている。ここで、スリーブ１８は割スリーブあるいは精密スリーブが用いられるが、後述するように第１ファイバスタブの２１の光軸方向のスムーズな動きを実現するためには、精密スリーブとすることが望ましい。
【００２０】
本実施態様において、第１ファイバスタブ２１と第２ファイバスタブ２２は共通（１本）の光ファイバ素子２５を保持しており、光ファイバ素子２５は第１ファイバスタブ２１と第２ファイバスタブ２２にそれぞれ固定されている。第１ファイバスタブ２１を貫通する光ファイバ素子２５の外端は光コネクタ４０のフェルール４１の光ファイバ４４端と光学的に接続される。また、第２ファイバスタブ２２の中心穴を貫通する光ファイバ素子２５の内端には、ＬＤからの信号光が集光されて入射される。さらに、第１ファイバスタブ２１と第２ファイバスタブ２２との間の光ファイバ素子２５には、可撓性を持たせるために予め若干の撓みを持たせている。
【００２１】
図２はフェルールとファイバスタブとの結合時における緩衝部材の作用について説明するための図である。図２（Ａ）はフェルール４１の挿入途中を示す図であるが、同図を用いて各構成部材の関係をさらに詳細に説明する。
第１ファイバスタブ２１はスリーブ１８内を軸方向に摺動可能に配置されており、第２ファイバスタブ２２は、例えば図示しないスリーブシェルに固定されることで光モジュールに対して固定配置されている。そして、第１ファイバスタブ２１と第２ファイバスタブ２２との間には、緩衝部材２４が配設されている。
【００２２】
この緩衝部材２４は、図２（Ａ）の正面図および図２（Ｂ）の断面図で示すように、第１ファイバスタブ２１および第２ファイバスタブ２２よりも外径が小さい中空円筒状の形状を有しているが、中空円筒状に限らず、複数の柱状の緩衝部材であってもよい。また、その材料としては、ブチル、シリコン等のゴム材料が用いられるが、衝撃による大きな力に対しては変形し、その後の押圧力に抗して形状が復帰するように材料の弾性を選定することが望ましい。
【００２３】
緩衝部材２４は、前後の第１ファイバスタブ２１と第２ファイバスタブ２２にそれぞれ接着剤で固定されている。したがって、第１ファイバスタブ２１はスリーブ１８内で軸方向に可動な状態で緩衝部材２４によって支持されている。また、第１ファイバスタブ２１と第２ファイバスタブ２２の間には、第１ファイバスタブ２１と第２ファイバスタブ２２の最小間隔を規定するストッパ部材２７を配置している。ストッパ部材２７は、第１のファイバスタブ２１に固定してもよく、第２のファイバスタブ２２に固定してもよい。また、ストッパ部材２７を緩衝部材２４の外周側に設け、スリーブに固定してもよい。
【００２４】
そして、フェルール４１が図２（Ａ）の状態からさらに挿入されると、図２（Ｂ）で示すように、フェルール４１のＰＣ面４５が最初に第１ファイバスタブ２１のＰＣ面２６に接触する。このとき、第１ファイバスタブ２１は、フェルール４１のＰＣ面４５から受ける押圧力に対して緩衝部材２４の反発力で抗しており、第１ファイバスタブ２１のＰＣ面２６は所定の力でフェルール４１のＰＣ面４５と接触して、光ファイバ４４と光ファイバ素子２５との光結合が行われる。
【００２５】
また、フェルール４１が第１ファイバスタブ２１に衝突した際には、衝撃による短時間の大きな力に抗しきれない緩衝部材２４が圧縮変形して、第１ファイバスタブ２１が軸方向に後退してフェルール４１のＰＣ面４５を受け止める。このとき、第２ファイバスタブ２２は光モジュールに対して固定されており動かないが、フェルール４１のＰＣ面４５の衝突の衝撃は、第１ファイバスタブ２１の後退と緩衝部材２４の変形によって著しく減衰して第２ファイバスタブ２２やさらには光モジュール本体側へ伝わるため、衝撃がこれらの部材へ直接伝わることがなく緩和される。
【００２６】
フェルール４１を付勢するバネ力によって、さらにフェルール４１が挿入されると、緩衝部材２４が圧縮変形されて第１ファイバスタブ２１が後退する。第１ファイバスタブ２１と第２ファイバスタブ２２の間隔が小さくなるにしたがって、光ファイバ素子２５もたわんで対応する。
【００２７】
そして、図２（Ｃ）で示すように、第１ファイバスタブ２１がストッパ部材２７に当接したところで、第１ファイバスタブ２１の動きは止まる。このように、緩衝部材２４の圧縮変形に対する反発力だけでは、第１ファイバスタブ２１と第２ファイバスタブ２２の最小間隔が規定しにくいため、ストッパ部材２７を配置し、第１ファイバスタブ２１と第２ファイバスタブ２２との間隔を規定することによって、光ファイバがたわみすぎて断線したり損失が過大になったりすることを防いでいる。
【００２８】
なお、フェルール４１がスリーブ１８から抜かれた際は、圧縮変形されていた緩衝部材２４の復元力によって、第１ファイバスタブ２１を前進させるため、図２（Ａ）に示す状態に戻る。
【００２９】
（実施態様２）
図４は本発明の他の実施態様に係る光モジュールにおいて、フェルールとファイバスタブとの結合時の緩衝部材の作用について説明するための図である。
本実施態様は、図４（Ａ）に示すように、実施態様１と同様に、第１ファイバスタブ２１はスリーブ１８内を軸方向に摺動可能に配置されており、第２ファイバスタブ２２は、例えば図示されていないスリーブシェルに固定されることで光モジュールに対して固定配置されている。そして、第１ファイバスタブ２１と第２ファイバスタブ２２との間には、緩衝部材２４が配設されている。
【００３０】
本実施態様では、ストッパ部材２８は、第２ファイバスタブ２２の小径部、換言すれば、第２ファイバスタブ２２からの突出部で構成している。また、緩衝部材２４は中空筒形状でゴム材料からなり、ストッパ部材２８の外側に同心状に配置している。なお、緩衝部材２４の形状は中空円筒状に限らず、複数本の円柱状のものを用いてもよいが、フェルール４１の挿入完了時に、第１ファイバスタブ２１と第２ファイバスタブ２２が接触する程度にまで形状が変化する硬度の材料を選択しておくことが望ましい。
【００３１】
また、ファイバ素子２５は、第１ファイバスタブ２１と第２ファイバスタブ２２によって保持されるが、第１ファイバスタブ２１の貫通孔２１ａ内で固定（固着）される一方、ストッパ部材２８を構成する突出部を含む第２ファイバスタブ２２の貫通孔２２ａ内では固定さていない。したがって、第１ファイバスタブ２１の摺動に併せて光ファイバ素子２５も第２ファイバスタブ２２の貫通孔２２ａに沿って摺動する。
【００３２】
そして、フェルール４１が図４（Ａ）の状態からさらに挿入されると、図４（Ｂ）で示すように、フェルール４１のＰＣ面４５が第１ファイバスタブ２１のＰＣ面２６に接触する。このとき、第１ファイバスタブ２１は、フェルール４１のＰＣ面４５から受ける押圧力に対して緩衝部材２４の反発力で抗しており、第１ファイバスタブ２１のＰＣ面２６は所定の力でフェルール４１のＰＣ面４５と接触して、光ファイバ４４と光ファイバ素子２５との光結合が行われる。
【００３３】
また、フェルール４１が第１ファイバスタブ２１に衝突した際には、衝撃による短時間の大きな力に抗しきれない緩衝部材２４が圧縮変形して、第１ファイバスタブ２１が軸方向に後退してフェルール４１のＰＣ面４５を受け止める。このとき、第２ファイバスタブ２２は光モジュールに対して固定されており動かないが、フェルール４１のＰＣ面４５の衝突時の衝撃は、第１ファイバスタブ２１の後退と緩衝部材２４の変形によって著しく減衰して第２ファイバスタブ２２やさらには光モジュール本体側へ伝わるため、衝撃がこれらの部材へ直接伝わることがなく緩和される。
【００３４】
フェルール４１を付勢するバネ力によって、さらにフェルール４１がスリーブ１８に沿って挿入されると、緩衝部材２４が圧縮変形されて第１ファイバスタブ２１が後退する。また、第１ファイバスタブ２１の後退にともなって、第１ファイバスタブ２１に固定された光ファイバ素子２５も後退することになる。光ファイバ素子２５は第２ファイバスタブ２２に対しては摺動可能に設けられているため、光ファイバ素子２５に大きなストレスがかかることはない。
【００３５】
さらに、フェルール４１が挿入されると、図４（Ｃ）で示すように、第１ファイバスタブ２１がストッパ部材２８に当接したところで、第１ファイバスタブ２１の動きは止まる。このとき、緩衝部材２４の圧縮変形量は最大となっている。また、光ファイバ素子２５の後退距離も最大となるため、図４（Ｃ）右側の図示しない光ファイバ素子２５の内端に、ＬＤからの信号光が集光されるように光ファイバ素子２５の長さが調整されている。
【００３６】
なお、フェルール４１がスリーブ１８から抜かれた際は、圧縮変形されていた緩衝部材２４の復元力によって、第１ファイバスタブ２１を前進させるため、図４（Ａ）に示す状態に戻る。
【００３７】
（実施態様３）
図５は本発明のさらに他の実施態様に係る光モジュールにおいて、フェルールとファイバスタブとの結合時の緩衝部材の作用について説明するための図である。
本実施態様は、図５（Ａ）に示すように、実施態様１、２と同様に、第１ファイバスタブ２１はスリーブ１８内を軸方向に摺動可能に配置されており、第２ファイバスタブ２２は、例えば図示されていないスリーブシェルに固定されることで光モジュールに対して固定配置されている。そして、第１ファイバスタブ２１と第２ファイバスタブ２２との間には、緩衝部材２４が配設されている。
【００３８】
また、ストッパ部材２８は、第２ファイバスタブ２２の小径部、換言すれば、第２ファイバスタブ２２からの突出部で構成されている。第１ファイバスタブ２１、第２ファイバスタブ２２、ストッパ部材２８、及び緩衝部材２４の配置構成は、実施態様２と同様であるため、その説明は省略する。
【００３９】
本実施態様では、第１ファイバスタブ２１と第２ファイバスタブ２２に設けたファイバ素子は共通ではなく、第１ファイバスタブ２１の貫通孔２１ａ内にファイバ素子２５ａを設け、ストッパ部材２８を構成する突出部を含む第２ファイバスタブ２２の貫通孔２２ａ内にファイバ素子２５ｂを設けている。また、ファイバ素子２５ａ及びファイバ素子２５ｂは、それぞれ第１ファイバスタブ２１の貫通孔２１ａ内およびで第２ファイバスタブ２２の貫通孔２２ａ内で固定（固着）されている。
【００４０】
そして、フェルール４１が図５（Ａ）の状態からさらに挿入されると、図５（Ｂ）で示すように、フェルール４１のＰＣ面４５が第１ファイバスタブ２１のＰＣ面２６に接触する。このとき、第１ファイバスタブ２１は、フェルール４１のＰＣ面４５から受ける押圧力に対して緩衝部材２４の反発力で抗しており、第１ファイバスタブ２１のＰＣ面２６は所定の力でフェルール４１のＰＣ面４５と接触して、光ファイバ４４と光ファイバ素子２５ａとの光結合が行われる。
【００４１】
また、フェルール４１が第１ファイバスタブ２１に衝突した際には、衝撃による短時間の大きな力に抗しきれない緩衝部材２４が圧縮変形して、第１ファイバスタブ２１が軸方向に後退してフェルール４１のＰＣ面４５を受け止める。このとき、第２ファイバスタブ２２は光モジュールに対して固定されており動かないが、フェルール４１のＰＣ面４５の衝突時の衝撃は、第１ファイバスタブ２１の後退と緩衝部材２４の変形によって著しく減衰して第２ファイバスタブ２２やさらには光モジュール本体側へ伝わるため、衝撃がこれらの部材へ直接伝わることがなく緩和される。
【００４２】
フェルール４１を付勢するバネ力によって、さらにフェルール４１がスリーブ１８に沿って挿入されると、緩衝部材２４がさらに圧縮変形されて第１ファイバスタブ２１が後退し、図４（Ｃ）で示すように、第１ファイバスタブ２１のＰＣ面２９がストッパ部材２８のＰＣ面３０に当接したところで、第１ファイバスタブ２１の動きは止まる。
【００４３】
そして、この時に、第１ファイバスタブ２１に設けたファイバ素子２５ａと第２ファイバスタブに設けたファイバ素子２５ｂとの光結合がなされ、その結果、光ファイバ４４と光ファイバ素子２５ｂとの光結合が行われる。
このため、緩衝部材２４は、フェルール４１の挿入完了時に、第１ファイバスタブ２１とストッパ部材２８とが接触する程度にまで形状が変化する硬度の材料を選択しておくことが望ましい。また、第１ファイバスタブ２１のＰＣ面２９がストッパ部材２８のＰＣ面３０に当接した際の衝撃は、第１ファイバスタブ２１の動きが緩衝部材２４の圧縮変形によって減速されているため、十分に減衰したものとなる。
【００４４】
なお、フェルール４１がスリーブ１８から抜かれた際は、圧縮変形されていた緩衝部材２４の復元力によって、第１ファイバスタブ２１を前進させるため、図５（Ａ）に示す状態に戻る。
【符号の説明】
【００４５】
１…光モジュール、２…パッケージ本体部、３…スリーブ部、４…筐体、５…レーザダイオード（ＬＤ）、６…フォトダイオード、７、８…キャリア部材、９…電子冷却器、１０…測温素子、１１…回路素子、１２…コリメートレンズ、１３…リードピン、１４…集光レンズ、１５…アイソレータ、１６…結合部材、１７…スリーブ部材、１８…スリーブ、１９…ファイバスタブ、２０，２５…光ファイバ素子、２１…第１ファイバスタブ、２２…第２ファイバスタブ、２３…スリーブシェル、２４…緩衝部材、２６，２９，３０，４５…ＰＣ面、２７，２８…ストッパ部材、４０…光コネクタ、４１…フェルール、４２…コネクタ筐体、４３…バネ、４４…光ファイバ。
【図１】
2010217706.tif 000003
【図２】
2010217706.tif 000004
【図３】
2010217706.tif 000005
【図４】
2010217706.tif 000006
【図５】
2010217706.tif 000007
【図６】
2010217706.tif 000008
【図７】
2010217706.tif 000009